(57)【要約】【課題】長尺体の基端側が固定されているか否かにかかわらずいつでもどこでも直ぐに使用できる長尺体の巻き取りリール及びこれを備えた洗濯機の提供を図る。【解決手段】回転部材２と、この回転部材２を回動可能に支持する支持体３とを備え、回転部材２の外周に長尺体を巻回する。回転部材２の巻回部に長尺体の一部を着脱可能に係止する係止部として収納穴２４を設け、係止した長尺体の先端部材を巻き取りの始端として長尺体を巻き取る。回転部材２を巻き取るために、ゼンマイばねで回転させる駆動部を備え、この巻き取りの開始又は停止の切換を行うストッパを２つ備える。第１のストッパは、手動ストッパ５であり、第２のストッパは、長尺体の係止部２４に対する係止の有無で切換を行う。【選択図】　　　　　図１
2004106998.tif 000002
【特許請求の範囲】
【請求項１】
回転部材（２）と、この回転部材（２）を回動可能に支持する支持体（３）とを備え、回転部材（２）の外周を含む巻回部に長尺体（ｔ）を巻回するための、持ち運び可能な長尺体用の巻き取りリールにおいて、
回転部材（２）の巻回部に長尺体（ｔ）の一部を着脱可能に係止する係止部（２４）が設けられ、
係止した長尺体（ｔ）の一部を巻き取りの始端として長尺体（ｔ）を巻き取るようにしたことを特徴とする長尺体用の巻き取りリール。
【請求項２】
回転部材（２）と、この回転部材（２）を回動可能に支持する支持体（３）とを備え、
可撓性を有するホースやコード等の長尺体（ｔ）本体の先端に吸引ヘッドやプラグ等の先端部材（ｔ２）を備えた長尺体（ｔ）を、回転部材（２）の外周面に設けられた巻回部に巻回するための、持ち運び可能な長尺体用の巻き取りリールにおいて、
回転部材（２）の巻回部に長尺体（ｔ）の一部を着脱可能に係止する係止部（２４）が設けられ、
この係止部（２４）は、長尺体（ｔ）の先端部材（ｔ２）の少なくとも一部を収納することができる収納穴（２４）を備え、この収納穴（２４）が回転部材（２）の外周面に開口したものであり、
収納穴（２４）に収納した長尺体（ｔ）の先端を巻き取りの始端として長尺体（ｔ）を巻き取るようにしたことを特徴とする長尺体用の巻き取りリール。
【請求項３】
回転部材（２）をゼンマイばね（４１）の力で回転させるための駆動部（４）を備え、ゼンマイばね（４１）により長尺体（ｔ）を巻き取るようにしたことを特徴とする請求項１又は２記載の長尺体用の巻き取りリール。
【請求項４】
ゼンマイばね（４１）による巻き取りの開始又は停止の切換を行うストッパを２つ備え、
第１のストッパは、手の操作で開始又は停止の切換を行う手動ストッパ（５）であり、
第２のストッパは、長尺体（ｔ）を係止部（２４）に係止したか否かで巻き取りの開始又は停止の切換を行うストッパ（６）であることを特徴とする請求項１〜３の何れかに記載の長尺体用の巻き取りリール。
【請求項５】
基端を洗濯機（１０１）に接続したホース（ｔ）を介して、風呂等の貯溜水をポンプ（１０２）により吸引し、洗濯機の槽（１０３）内に給水するようにした洗濯機において、
この洗濯機（１０１）に、請求項１〜４の何れかに記載の長尺体用の巻き取りリール（１）が付設され、
前記係止部（２４）は、上記ホース（ｔ）の先端に設けられた吸引ヘッド（ｔ２）を係止できる構造を備えたものであることを特徴とする洗濯機。
【発明の詳細な説明】
【０００１】
【発明の属する技術分野】
本願発明は、長尺体用の巻き取りリール及びこれを備えた洗濯機に関するもである。
【０００２】
【従来の技術】
従来より、水の節約のために、風呂等の貯溜水を洗濯に利用できるようにした洗濯機が知られている。この種の洗濯機は、基端を洗濯機に接続したホースを介して、風呂等の貯溜水を洗濯機内のポンプにより吸引し、洗濯機の槽内に給水することを可能にしたものである。この種の洗濯機のホースは先端に吸引ヘッドを備え、この洗濯機が置かれている部屋（例えば、洗面室）から浴室まで、ホースを引っ張って、先端の吸引ヘッドを浴槽内に入れて使用するもので、５ｍ程度の長さを備えているものも多い。使用後には、使用者が適当な輪を作るようにホースを手で巻き取り、洗濯機の側面に設けられた収納バケット等に収納したり、フックに引っかけておくようにしている。しかし、このような長いホースを手で巻き取ることは面倒で困難であり、綺麗に巻き取れない場合も多い。そこで、特開平９−２５３３８６号にあっては、洗濯機内にホースをモータ駆動の引込装置により巻き取って、ホースに洗濯機内に収納することが提案されている。また実用新案登録３０２９１９３号にあっては、同種の作動をゼンマイばねによって行うものも提案されている。
【０００３】
しかし、これらの発明にあっては、ホースと引込装置を内臓するため、その分、洗濯機が大型化してしまい、また、引込装置のない貯溜水利用の既設の洗濯機には使用することができない。
しかも、これらの発明の引込装置の機構そのものは、従来のホースリール、コードリール、電工ドラム等々、従来の長尺体の巻き取り装置の機構と同様、吸引ヘッドのあるホースの先端側を自由端として、ホースの基端側を引込装置で引き込んだり巻回したりするものである。そのため、自動でホースを巻き取ることができると言っても、ホースを人が手で案内しないでいると、ホース先端の吸引ヘッドは浴槽内から洗濯機まで床を這って引き込まれることとなり、途中で障害物があった場合の不具合は勿論、浴槽から出る時に吸引ヘッドが浴室の床に落下して破損するおそれもあり、何らかの人の手による案内が必要になると考えられる。特に、これらの貯溜水利用の洗濯機にあっては、人がホースを巻き取り繰り出しするタイプでも、使用開始時又は使用終了後に、吸引ヘッドの先端の吸い込み口から、ホース内に残った水が漏れ出して、床等を濡らしてしまうという課題があり、このホースを自動で引き込むようにした場合には、漏水の問題がより一層深刻となる。
ここで、長尺体の巻き取りリールについて、洗濯機以外の利用分野についても観察すると、従来のホースリール、コードリール、電工ドラム等々、従来の長尺体の巻き取り装置は、長尺体の先端側を自由端として、基端側を巻き取り装置に接続して使用するのが常識となっている。ところが、例えば、ホースを水道栓に接続固定している場合においてホースリールを利用しようとすると、一度は水道栓への固定を外して、ホースリールに接続し直して使用する必要がある。また、コードリールを内臓していない家庭用の電気機器の電源コードをリールで巻き取ろうとしても、電源コードを途中で切断する等といった工事が必要となり、一般消費者では実質的に不可能であると言って過言でない。このような場合に、工事や接続の手間がなく、いつでもどこでも直ぐに使用できる長尺体の巻き取りリールがあると、極めて便利である。
【０００４】
【発明が解決しようとする課題】
しかして、本願発明は、長尺体の基端側が固定されているか否かにかかわらずいつでもどこでも直ぐに使用できる長尺体の巻き取りリールを提供せんとするものである。
本願発明の他の目的は、風呂等の貯溜水を洗濯に利用できるようにした洗濯機において、貯溜水を吸引するためのホースを簡単に巻き取ることができ、綺麗に保管できる洗濯機を提供せんとするものである。
【０００５】
【課題を解決するための手段】
そこで本願の請求項１の発明は、回転部材２と、この回転部材２を回動可能に支持する支持体３とを備え、回転部材２の外周を含む巻回部に長尺体ｔを巻回するための、持ち運び可能な長尺体用の巻き取りリールにおいて、回転部材２の巻回部に長尺体ｔの一部を着脱可能に係止する係止部２４が設けられ、係止した長尺体ｔの一部を巻き取りの始端として長尺体ｔを巻き取るようにしたことを特徴とする長尺体用の巻き取りリールを提供する。
【０００６】
本願の請求項２の発明は、回転部材２と、この回転部材２を回動可能に支持する支持体３とを備え、可撓性を有するホースやコード等の長尺体ｔ本体の先端に吸引ヘッドやプラグ等の先端部材ｔ２を備えた長尺体ｔを、回転部材２の外周面に設けられた巻回部に巻回するための、持ち運び可能な長尺体用の巻き取りリールにおいて、回転部材２の巻回部に長尺体ｔの一部を着脱可能に係止する係止部２４が設けられ、この係止部２４は、長尺体ｔの先端部材ｔ２の少なくとも一部を収納することができる収納穴２４を備え、この収納穴２４が回転部材２の外周面に開口したものであり、収納穴２４に収納した長尺体ｔの先端を巻き取りの始端として長尺体ｔを巻き取るようにしたことを特徴とする長尺体用の巻き取りリールを提供する。
【０００７】
本願の請求項３に係る発明は、回転部材２をゼンマイばね４１の力で回転させるための駆動部４を備え、ゼンマイばね４１により長尺体ｔを巻き取るようにしたことを特徴とする請求項１又は２記載の長尺体用の巻き取りリールを提供する。
本願の請求項４に係る発明は、ゼンマイばね４１による巻き取りの開始又は停止の切換を行うストッパを２つ備え、第１のストッパは、手の操作で開始又は停止の切換を行う手動ストッパ５であり、第２のストッパは、長尺体ｔを係止部２４に係止したか否かで巻き取りの開始又は停止の切換を行うストッパ６であることを特徴とする請求項１〜３の何れかに記載の長尺体用の巻き取りリールを提供する。
【０００８】
本願の請求項５に係る発明は、基端を洗濯機１０１に接続したホースｔを介して、風呂等の貯溜水をポンプ１０２により吸引し、洗濯機の槽１０３内に給水するようにした洗濯機において、この洗濯機１０１に、請求項１〜４の何れかに記載の長尺体用の巻き取りリール１が付設され、前記係止部２４は、上記ホースｔの先端に設けられた吸引ヘッドｔ２を係止できる構造を備えたものであることを特徴とする洗濯機を提供することにより、上記の課題を解決する。
【０００９】
【発明の実施の形態】
以下、図面に基づき本願発明の実施の形態を説明する。
図１は本願発明の実施の形態に係る長尺体用リールの斜視図であり、図２（Ａ）は同リールの内部構造を示す正面図であり、（Ｂ）は側面図である。図３の（Ａ）は同リールの回転部材の内部構造を示す正面図であり、（Ｂ）は図側面図である。図４は同使用状態の説明図である。
【００１０】
この長尺体用リール１は、風呂等の貯溜水を洗濯に利用できるようにした電気洗濯機の吸引用のホースｔを巻回するための持ち運び可能なリールであり、回転部材２と、この回転部材２を回動可能に支持する支持体３とを備える。
この長尺体用リール１は、図４に示すように、洗濯機１０１に接続したホースｔを巻回するために用いられる。この洗濯機１０１は、吸引用のポンプ１０２を備えることにより、風呂等の貯溜水をポンプ１０２により吸引し、洗濯機１０１の洗濯槽１０３内に給水することが可能なもので、ホースｔは、その基端が洗濯機１０１に接続されいる。このホースｔは、ホース本体ｔ１と、その先端に設けられた吸引ヘッド（即ち先端部材）ｔ２とを備える。この吸引ヘッドｔ２は、ホース本体ｔ１より大きく、ホースの先端を浴槽等の水中に沈めることができる程度の重量を有するもので、必要に応じてフィルタ（図示せず）が配設されている。なお、吸引用のポンプ１０２は、洗濯機１０１内に配位してもよく、吸引ヘッドｔ２内に配位したものであってもよい。
【００１１】
この長尺体用リール１の回転部材２は、ホースｔを巻回する為のもので、図１〜図３に示すように、中空の円筒状のドラム本体２１を備え、このドラム本体２１の軸方向の両端の中央は、支持体３に回動可能に支持されている。このドラム本体２１の軸方向の両端には、その径外方向に伸びる側板２３、２３が設けられており、ホースｔは、これらの側板２３、２３に規制されてドラム本体２１の外周面２２に巻き取られるものであり、ドラム本体２１の外周面２２と左右の側板２３、２３がホースｔを巻回するための巻回部となる。
【００１２】
この巻回部の適宜箇所には、長尺体の先端部を着脱可能に係止する係止部が設けられるもので、この例では、ホースｔの先端部材である吸引ヘッドｔ２を収納することができる収納穴２４が、ドラム本体２１の外周面２２に開口して形成されている。この例では、ドラム本体２１は中空の筒状となっており、外周面２２を構成する周壁の内部が収納穴２４となるが、ドラム本体２１を中実とした場合には、吸引ヘッドｔ２の少なくとも一部を収納できる穴を穿つなどして形成する。収納穴２４の上記の開口は、吸引ヘッドｔ２を通すことができる大開口部２４ａと、この大開口部２４ａよりも小さな小開口部２４ｂとが連続して設けられている。この小開口部２４ｂは、ホース本体ｔ１を通すことができるものの、吸引ヘッドｔ２を通すことができない程度の大きさである。使用に際しては、ホースｔの先端のホースヘッドｔ２を大開口部２４ａから収納穴２４内に入れ、ホース本体ｔ１を小開口部２４ｂ内に配位する。これにより、ホースヘッドｔ２が小開口部２４ｂの周辺の周壁内側にひっかかり、係止されるものである。なお、ドラム本体２１の巻回時の回転方向に対して前方側に大開口部２４ａを設け、後方側に小開口部２４ｂを設けること（例えば、この例ではドラム本体２１はゼンマイばねによって右回転することによりホースｔを巻回するとすると、大開口部２４ａを右に設け、その左に小開口部２４ｂを設けること）が望ましいが、反対側でもよく、ドラム本体の軸方向に沿って両開口部２４ａ、２４ｂを設けるようにしてもよい。
【００１３】
次に、支持体３は、回転部材２を回動可能に支持するもので、リール全体を安定して接地させる脚部３１と、脚部３１の上方において回転部材２を支持する回転軸受け３２と、さらに上方においてリール全体を持ち運びするための持ち手３３とを備える。この例では、三角形をなす２枚の支持板３４、３４間に回転部材２を配置するものとし、スペーサ３５にて両支持板３４、３４同士を接続し、上端に持ち手３３を渡しているが、具体的形状は適宜変更できる。また、回転部材２を支持する構造も、回転部材２の中心に軸体を通し、その軸体の周りで回転部材２を回転させる構造等、適宜変更できる。
【００１４】
この長尺体用リール１は、図２に示すように、回転部材２をゼンマイばね４１の力で回転させる駆動部４を備える。この例では、回転部材２側に（詳しくはドラム本体２１の内部に）駆動部４を配位したが、支持体３側に配位してもよい。このゼンマイばね４１は、一端が回転部材２に接続され、他端が支持体３に接続されており、回転部材２を一方向（例えば左回転）に回転させると、ゼンマイばねが巻き締められ、巻き締め後に自由状態とすると他方向（例えば右回転）に回転する。
【００１５】
このように、ゼンマイばね４１が巻き締められた状態で、回転部材２の回転を停止させるために、ストッパを少なくもと一つ設ける。この例では、ストッパを２つ備えるもので、第１のストッパ５は、手の操作で開始又は停止を行う手動ストッパ５であり、第２のストッパ６は、長尺体を係止部に係止したか否かで巻き取りの開始又は停止を行う係止ストッパ６である。
【００１６】
手動ストッパ５は、持ち手３３付近に設けられており、持ち手３３を持ったまま操作できる。この例では、ブレーキシュー５１を備えたブレーキレバー５２を支持体（詳しくは持ち手３３）に回動可能に設ける。これによりブレーキシュー５１を回転部材２（この例では側板２３、特にその端縁）に対して当接離反可能とする。そして、このブレーキシュー５１を回転部材２に対して当接するように、ブレーキレバー５２を付勢するバネ５３等の付勢部材を設け、常時は回転部材２が回転しないものとする。さらに、ブレーキレバー５２には操作部５４を設けて、操作部５４を摘むことにより、バネ５３に抗してブレーキレバー５２を回動させてブレーキシュー５１を回転部材２から離反させブレーキを解除し、操作部５４から手を離すことによって、バネ５３によりブレーキがかかるようにしている。
【００１７】
第２のストッパである係止ストッパ６は、この例では、図３（この図３（Ａ）（Ｂ）では駆動部４の図示を省略している）に示すように、収納穴２４内に設けられている。具体的には、ブレーキ用の係止体６１を備えたブレーキレバー６２を回転部材２から支持体（詳しくは支持板３４）に対して出没可能に設ける。支持板３４には、少なくとも１個、望ましくは図２（Ｂ）に示すように複数個の係止部（この例では係止穴６３）を設け、両者６１、６３の係合によって、常時は回転部材２が回転しないものとする。さらに、ブレーキレバー６２には作動部６４を設けて、この作動部６４を収納穴２４内に配位する。そして、収納穴２４内に吸引ヘッドｔ２を装着することによって、作動部６４に力を加え、係止体６１を後退させて、係合を解除する。これにより、ブレーキが解除され、回転部材２は回転可能となる。なお、両者６１、６３の係合が確実に維持されるように、バネ６５等の付勢部材で付勢することも望ましく、この例では、バネ６５を作動部６４の背面側に設けて、吸引ヘッドｔ２を外すことによって、自動的に係止体６１が突出して係止状態となるようにしている。なお、この例では、手動ストッパ５を摩擦抵抗によるブレーキとし、係止ストッパ６を係合によるブレーキとして実施したが、逆であってもよく、双方のストッパ５、６を摩擦又は係合の同じタイプのものとしてもよい。
【００１８】
次に、この実施に係る長尺体用リール１の使用方法を説明する。
まず、洗濯機１０１からホースｔを引き出している状態で、吸引ヘッドｔ２を長尺体用リール１の収納穴２４内に挿入する。これにより、係止ストッパ６によるブレーキが解除されるが、手動ストッパ５によるブレーキによって、回転部材２は回転しない。次に、持ち手３３を握って長尺体用リール１を持ち上げ、手動ストッパ５のブレーキレバー５２を指で押さえることにより、手動ストッパ５のブレーキが解除され、ゼンマイばね４１の駆動部４により、回転部材２が回転する。これによりホースｔが巻き上げられるため、使用者は巻き上げに従って洗濯機１０１に接近して行き、手動ストッパ５のブレーキレバー５２から手を離すことによってブレーキがかかり、巻き上げが完了する。そして、洗濯機１０１の近辺に長尺体用リール１を置いておいもよく、洗濯機１０１に収納ケース１０４が設けられている場合には、そこに収納してもよい。
次に、ホースｔを使用する場合には、長尺体用リール１を持って、手動ストッパ５のブレーキレバー５２を押して回転部材２を回転可能な状態にして、浴槽１０５まで移動する。この移動により、ホースｔは繰り出されるが、手でホースｔを繰り出してもよい。いずれにしても、ホースｔの繰り出しで、回転部材２が回転して、ゼンマイばね４１が回転エネルギーを蓄える。浴槽１０５に着いて、最後まで繰り出しが完了すると、手動ストッパ５のブレーキレバー５２から手を離すか、吸引ヘッドｔ２を収納穴２４から取り出すことにより、回転部材２にブレーキがかかって、最初の状態に戻り、以下同様の使用方法を繰り返すこととなる。特に、この例では、吸引ヘッドｔ２を収納穴２４から取り出すことにより、自動的に回転部材２にブレーキがかかるため、ゼンマイばね４１に蓄えられたエネルギーが無駄に消失することを防止できるものである。
【００１９】
上記の例では、第１と第２のストッパは、いずれも常時は回転部材２のゼンマイばね４１による回転を停止させ、人の手の操作或いは長尺体の係止によって回転を開始させるものであるが、例えば、第１のストッパのみを常時回転とする一方、第２のストッパを常時停止としてもよい。
また、上記の例では、回転部材２を係止して、回転の停止を行ったが、回転部材２とゼンマイばね４１を備えた駆動部４との間でクラッチを設けて、クラッチの切換を行うことによって、回転部材２のゼンマイばね４１による回転の有無を切り換えるようにしてもよい。さらに、駆動部には、ゼンマイばねによるものの他、電動機や手動ハンドルの回転によって、回転部材２を回転させるものに変更して実施してもよい。電動機による場合には、正逆回転可能とすることによって、巻き上げと巻き戻しの両方を自動で行う事ができる。
【００２０】
支持体３については、図５に示すように、回転部材２の下方に水受け部７を設けたものとして実施してもよい。特に、従来の浴槽用のホースを備えた洗濯機にあっては、使用開始時又は使用終了後に、吸引ヘッドｔ２の先端の吸い込み口から、ホース内に残った水が漏れ出して、床等を濡らしてしまうという課題があったが、水受け部７を設けることによって、その水を受けることができ、床等を濡らすことを防止できる。
また、上記の例では、ホース等の長尺体の先端を回転部材に係止するようにして実施したが、長尺体の中間部分を収納穴２４に入れ込んだり、中間部分に係止用のフックを設けてフックを係止させる等して、中間部分を係止して、その部分を巻回の始端として巻回するようにしてもよい。長尺体としては、洗濯機用ホースの他、各種の水等の液体や都市ガス等の気体用のホース類、電気用コードや信号用コード等のコード類、ロープ等々、種々変更して実施することができる。また、吸引ヘッドｔ２などの先端部材は、長尺体の種類に応じて、ガスホースのジョイント部材やコードの差込プラグ等々、種々変更して実施でき、場合によっては先端部材を設けずに実施してもよい。長尺体の一部を着脱可能に係止する係止部としては、収納穴の他、長尺体を係止できるフックやクリップ等々種々変更できるが、収納穴とすることによって、先端部材が回転部材の外周面に大きく突出することが防止できるため、回転部材による長尺体の巻き上げをスムーズに整列させて行い易い点で有利である。
【００２１】
【発明の効果】
以上、本願の請求項１〜４の発明は、回転部材の巻回部に長尺体の一部を着脱可能に係止する係止部を備えたものであるため、係止部に長尺体を係止させることで、長尺体の基端側が固定されているか否かにかかわらずいつでもどこでも直ぐに使用できる長尺体用リールを提供することができたものである。
請求項２に係る発明は、長尺体の先端部材の少なくとも一部を収納することができる収納穴を備えものであるため、先端部材が回転部材の外周面に大きく突出することが防止でき、回転部材による長尺体の巻き上げをスムーズに整列させて行い易いという効果を発揮する。
請求項３に係る発明は、ゼンマイばねの利用によって、長尺体の引き出し作業にてゼンマイばねにエネルギーを蓄え、このエネルギーを利用して長尺体の巻き取りを可能とし、省エネ性に優れた長尺体用の巻き取りリールを提供することができたものである。
請求項４に係る発明は、手動ストッパによる制御に加えて、長尺体を係止部に係止したか否かで巻き取りの開始又は停止の切換を行う係止ストッパを設けることにより、係止動作を行うだけで無意識でストッパの切換を行うことができ、より使い勝手のよい長尺体の巻き取りリールの提供を可能とした。
本願の請求項５に係る発明は、風呂等の貯溜水を洗濯に利用できるようにした洗濯機において、貯溜水を吸引するためのホースを簡単に巻き取ることができ、綺麗に保管できる洗濯機を提供することができたものである。
【図面の簡単な説明】
【図１】本願発明の実施の形態に係る長尺体用リールの斜視図である。
【図２】（Ａ）は同リールの内部構造を示す正面図であり、（Ｂ）は側面図である。
【図３】（Ａ）は同リールの回転部材の内部構造を示す正面図であり、（Ｂ）は図側面図である。
【図４】同リールの使用状態の説明図である。
【図５】本願発明の他の実施の形態に係る長尺体用リールの側面図である。
【符号の説明】
１　　　長尺体用リール
２　　　回転部材
３　　　支持体
４　　　駆動部
５　　　係止ストッパ
６　　　手動ストッパ
２１　　ドラム本体
２４　　収納穴（係止部）
４１　　ゼンマイばね
１０１　洗濯機
１０２　吸引用のポンプ
１０３　洗濯槽
ｔ　　　ホース
ｔ２　　吸引ヘッド
ｔ１　　ホース本体
【図１】
2004106998.tif 000003
【図２】
2004106998.tif 000004
【図３】
2004106998.tif 000005
【図４】
2004106998.tif 000006
【図５】
2004106998.tif 000007